(57)【要約】      （修正有）【課題】削り屑の溜まり具合を確認でき、削り屑を容易に排出できる小型で携帯可能な鉛筆削り器を提供する。【解決手段】天部には、鉛筆５０を挿入する挿入部３０ａ、内部には、挿入部と連通し、鉛筆を削る削り部５、さらに底部には、削り屑１００を排出する開口部をそれぞれ有し、少なくとも一部が透明又は半透明に形成された削り器本体３と、削り器本体の天部を覆う上蓋２と、削り器本体の開口部を閉塞する下蓋４と、を備え、削り屑を削り器本体内部に収容でき、下蓋を開ければ、削り屑を外部に排出できる構成とした。【選択図】図４
0003227843.tif 000002
【実用新案登録請求の範囲】
【請求項１】
天部には、鉛筆を挿入する挿入部、内部には、前記挿入部と連通し、前記鉛筆を削る削り部、さらに底部には、削り屑を排出する開口部をそれぞれ有する削り器本体と、
前記削り器本体の前記天部を覆う上蓋と、
前記削り器本体の前記開口部を閉塞する下蓋と、
を備え、
前記削り屑を前記削り器本体内部に収容でき、前記下蓋を開ければ、前記削り屑を外部に排出できること
を特徴とする鉛筆削り器。
【請求項２】
前記削り器本体は、
前記上蓋及び前記下蓋と一体に形成されること
を特徴とする請求項１に記載の鉛筆削り器。
【請求項３】
前記削り器本体は、
少なくとも一部が透明又は半透明に形成されること
を特徴とする請求項１又は請求項２に記載の鉛筆削り器。
【考案の詳細な説明】
【技術分野】
【０００１】
本考案は、小型で携帯可能な鉛筆削り器に関する。
【背景技術】
【０００２】
従来、携帯型の鉛筆削り器として、例えば、特許文献１に示されるようなものが開示されている。この特許文献１の鉛筆削り器は、その削り屑を鉛筆削り器内に収め、鞄やポケットに入れて携帯できるように構成されている。
【先行技術文献】
【特許文献】
【０００３】
【特許文献１】実開平５−８６５９６号公報
【考案の概要】
【考案が解決しようとする課題】
【０００４】
しかしながら、特許文献１の鉛筆削り器は、鉛筆を削る削り具と、鉛筆の削り屑を溜める収容部がそれぞれ独立して構成されているため、片方のみを紛失してしまう可能性や、削り具から収容部を取り外して削り屑を排出する際、収容部を掴む手に力が入り、削り屑が飛散してしまうことがあった。また、鉛筆の削り具合を確認するには、何度も鉛筆を抜いて鉛筆の先端を確認しなければならず、使い勝手が良いとはいえなかった。
【０００５】
そこで、本考案の目的は、削り器本体において、少なくとも一部を透明又は半透明に形成し、上蓋、下蓋及び削り具を一体に形成することで、簡便な構成ながらも削り屑や鉛筆の削り具合を確認でき、削り屑を容易に排出できる小型で携帯可能な鉛筆削り器を提供することである。
【課題を解決するための手段】
【０００６】
上記目的を達成するため、本考案の鉛筆削り器は、天部には、鉛筆を挿入する挿入部、内部には、前記挿入部と連通し、前記鉛筆を削る削り部、さらに底部には、削り屑を排出する開口部をそれぞれ有する削り器本体と、前記削り器本体の前記天部を覆う上蓋と、前記削り器本体の前記開口部を閉塞する下蓋と、を備え、前記削り屑を前記削り器本体内部に収容でき、前記下蓋を開ければ、前記削り屑を外部に排出できる構成としてある。
【図面の簡単な説明】
【０００７】
【図１】鉛筆削り器を示す正面図である。
【図２】鉛筆削り器を示す図であり、（ａ）は平面図、（ｂ）は底面図である。
【図３】鉛筆削り器を示す図であり、（ａ）は削り器本体の全面を透明にした場合、（ｂ）は削り器本体の側面に色彩部を設けた場合それぞれを示す斜視図である。
【図４】上蓋を開けて、鉛筆を削る様子を示した斜視図である。
【図５】下蓋を開けて、鉛筆の削り屑を排出する様子を示した斜視図である。
【考案を実施するための形態】
【０００８】
以下、図面を参照しながら、本考案の好ましい実施形態について説明する。
本実施形態における鉛筆削り器１は、軽量でコンパクトな構成であるため、筆記具とともに筆箱などに収納でき、手動で鉛筆５０を削る手動式の鉛筆削り器１である。
【０００９】
図１及び図２は、本実施形態における鉛筆削り器１を示しており、図１は正面図、図２（ａ）は平面図、図２（ｂ）は底面図である。鉛筆削り器１は、上蓋２と、削り器本体３と、下蓋４とを有している。そして、削り器本体３の内部３ｂには、削り部５が取り付けられており、鉛筆５０を内部３ｂで削ることができるとともに、削り屑１００を収容できる構成になっている。
【００１０】
上蓋２は、削り器本体３に対して上下方向に扁平に形成され、図２（ａ）に示すように開ければ、鉛筆５０を削ることができる状態になり、閉じれば、削り器本体３の天部３ａを覆い閉塞する（図３参照）。そのため、鉛筆削り器１を使用しないときには、上蓋２を閉めることで、削り部本体３の内部３ｂに溜まった削り屑１００の飛散を防止することができる。
【００１１】
削り部本体３は、上下方向に長い直方体に形成され、天部３ａと、内部３ｂと、底部３ｃとに大別される。
天部３ａには、削り部５と連通する挿入部３０ａが形成されている。挿入部３０ａは、鉛筆５０の外径よりもやや大きい円形の挿入孔であり、この挿入部３０ａに鉛筆５０を挿入することで、鉛筆５０を削り部５に到達することができる。
【００１２】
また、天部３ａの裏面には、削り部５を削り部本体３の内部３ｂに固定するための固定部１０が形成されている。固定部１０は、削り部５の上部の形状に沿って枠状に形成されている。そのため、削り部５は、天部３ａの裏面に形成された固定部１０と、削り器本体３の底部３ｃの側面に形成された板状の固定部１０とで上下から挟み込むことで固定される。したがって、削り部５は、経年により緩むことがあるネジなどを使用せずに固定されるため、挿入部３０ａとの関係において、隙間なく、位置ずれが発生しないように固定されている。
【００１３】
内部３ｂには、削り部５が取り付けられており、この削り部５は、削り器本体３と同様に、プラスチックで形成され、ガイド部５ａと、削り刃５ｂを有している。
ガイド部５ａは、その内面が手前から奥に進むにつれて先細りとなる円錐形状に形成され、鉛筆５０の側面が削り刃５ｂに当接するように、ガイドする。そのため、ガイド部５ａの内面に沿って鉛筆５０を回転させれば、鉛筆５０の先端は、削り刃５ｂによって円錐形状に削られる。
【００１４】
削り刃５ｂは、硬質の金属により平板状に形成されている。また、削り刃５ｂは、ガイド部５ａより少しだけ挿入部３０ａの中心側に突出してネジ５ｃで固定される。そのため、鉛筆５０を挿入部３０ａに挿入し、回転させれば、この突出した削り刃５ｂの部分によって、鉛筆５０を削ることができる。
【００１５】
底部３ｃは、削り屑１００を排出する開口部３０ｃを有している。そのため、鉛筆５０を削るときに、削り部５から落下する削り屑１００は、この開口部３０ｃを通過し、下蓋４の上に溜まることになる。
【００１６】
また、削り器本体３は、内部３ｂが側面から視認できるように少なくとも一部が透明又は半透明に形成されることが好ましい。そのため、鉛筆削り器１において、上蓋２、削り器本体３及び下蓋４は、何れもプラスチックにより形成することができる。プラスチックには、例えば、ポリエチレンテレフタレートなどのポリエステル類、ＡＢＳ樹脂などのスチレン系樹脂などの透明性を有するものを用いることができる。このようなプラスチックを用いることで、軽量に製作でき、削り器本体３の内部３ｂの空間に溜まった削り屑１００を、上蓋２を開けずに外部から確認することができる。また、鉛筆５０を何度も抜くことなく、鉛筆５０の削り具合を確認することもできる。その結果、削り屑１００を取り出す際、削り屑１００が溢れ出すことを防ぐことができ、鉛筆５０の先端を、所望の長さで削ることができる。
【００１７】
また、鉛筆削り器１は、図３（ａ）に示す削り器本体３の全面を透明又は半透明に形成する以外にも、図３（ｂ）に示すように、削り器本体３の側面の一部を赤色や白色などの所望する色を施す色彩部７を設けて、装飾性を持たせることもできる。これにより、削り屑１００の視認性を保ちつつ、意匠性も高めることもできる。
なお、色彩部７には、所望する色を施す以外にも、子供が喜ぶようなキャラクターの画像や文字情報などを表面に印刷することもできる。
【００１８】
下蓋４は、上蓋２と同様に、上下方向に扁平に削り器本体３と一体に形成されている。そのため、それぞれ独立した構成と比較して、取り扱いが容易となり、何れか一方を紛失するようなことを防ぐことができる。
【００１９】
続いて、このように構成される鉛筆削り器１の使用方法について説明する。
図４は、上蓋２を開けた状態の鉛筆削り器１の斜視図であり、鉛筆５０を削る様子を示したものである。鉛筆５０を削るときは、鉛筆５０の先端を挿入部３０ａに挿入し、鉛筆５０の挿入を進めると、上述した削り部５のガイド部５ａにより鉛筆５０の側面が削り刃５ｂに当接する。このとき、鉛筆５０を鉛筆削り器１に対して矢印方向に相対的にガイド部５ａの面に沿って、回転させれば削ることができる。
また、鉛筆５０を削ることで発生する削り屑１００は、削り器本体３の内部３ｂに溜まることになる。
【００２０】
図５は、下蓋４を開けた状態の鉛筆削り器１の斜視図であり、削り屑１００を排出する様子を示したものである。削り器本体３の内部３ｂに溜まった削り屑１００は、下蓋４を開けると、落下して開口部３０ｃを通過し、外部に排出される。そのため、削り屑１００は、下蓋を開けるだけで排出できる構成になっている。鉛筆５０を削る者は、手を汚すことなく、容易に削り屑１００を排出することができる。
【００２１】
以上説明したように、本考案の鉛筆削り器１によれば、削り器本体３の少なくとも一部を透明又は半透明に形成し、内部３ｂに鉛筆５０を削る削り部５を取り付けているため、鉛筆５０を何度も抜くことなく、鉛筆５０の先端を確認しながら削ることができる。
また、削り器本体３は、上蓋２及び下蓋４と一体に形成されているため、下蓋４を開ければ、容易に削り屑１００を排出することができる。そのため、上蓋２、削り器本体３又は下蓋４の何れか片方の紛失を防ぐことができ、しかも削り屑１００が飛散すること無く削り屑１００を排出することができる。
また、鉛筆削り器１は、小型で簡便な構成であるため、安価に製作できる上、携帯しやすく、筆箱などに入れて容易に持ち運ぶことができる。
【００２２】
以上、本考案に好ましい実施形態について説明したが、上述した実施形態にのみ限定されるものではなく、本考案の範囲で種々の変更実施が可能である。
例えば、上述した実施形態では、削り部本体３の少なくとも一部が透明又は半透明に形成される例を説明したが、これに限られず、削り部本体３に加え、上蓋２又は／及び下蓋４の少なくとも一部も透明又は半透明に形成される構成としても良い。
【符号の説明】
【００２３】
１  鉛筆削り器
２  上蓋
３  削り器本体
３ａ  天部
３ｂ  内部
３ｃ  底部
４  下蓋
５  削り部
５ａ  ガイド部
５ｂ  削り刃
５ｃ  ネジ
３０ａ  挿入部
３０ｃ  開口部
５０  鉛筆
１００  削り屑
【図１】
0003227843.tif 000003
【図２】
0003227843.tif 000004
【図３】
0003227843.tif 000005
【図４】
0003227843.tif 000006
【図５】
0003227843.tif 000007